(57)【要約】  １つもしくは複数の送信パラメータに基づいて、参照シグナリング、および／または参照シグナリングを含むシグナリングを送信するように適合され、参照シグナリングが位相トラッキング参照シグナリングを含み、１つもしくは複数の送信パラメータが変調および符号化方式（ＭＣＳ）を含む、無線アクセスネットワークの送信ノード（１０、１００）が開示される。本開示は、関連するデバイスおよび方法にも関する。【選択図】図４
2019537892.tif 000002
【特許請求の範囲】
【請求項１】
１つもしくは複数の送信パラメータに基づいて、参照シグナリング、および／または参照シグナリングを含むシグナリングを送信するように構成され、前記参照シグナリングが位相トラッキング参照シグナリングを含み、前記１つもしくは複数の送信パラメータが変調および符号化方式（ＭＣＳ）を含む、無線アクセスネットワークの送信ノード（１０、１００）。
【請求項２】
１つもしくは複数の送信パラメータに基づいて、参照シグナリング、および／または参照シグナリングを含むシグナリングを送信することを含み、前記参照シグナリングが位相トラッキング参照シグナリングを含み、前記１つもしくは複数の送信パラメータが変調および符号化方式（ＭＣＳ）を含む、無線アクセスネットワークにおいて送信ノード（１０、１００）を操作する方法。
【請求項３】
前記１つもしくは複数の送信パラメータが、制御メッセージ、特にＤＣＩメッセージを用いて設定または指示される、請求項１または２に記載の方法またはデバイス。
【請求項４】
前記送信ノードが端末またはネットワークノードである、請求項１から３のいずれか一項に記載の方法またはデバイス。
【請求項５】
送信がダウンリンクで行われ、ならびに、端末特異的であり及び／またはビーム形成される、請求項１から４のいずれか一項に記載の方法またはデバイス。
【請求項６】
制御回路構成によって実行可能なコードを含み、前記コードが、請求項１または３から５のいずれか一項に記載の方法を、前記制御回路構成に実施および／または制御させる、プログラム製品。
【請求項７】
請求項６に記載のプログラム製品を保持および／または格納する、キャリア媒体装置。
【発明の詳細な説明】
【技術分野】
【０００１】
本開示は、無線通信技術に関し、特に、例えば３ＧＰＰ／ＮＲ（新無線）に従った、５Ｇネットワークであってもよい、無線アクセス技術（ＲＡＴ）および／または無線アクセスネットワーク（ＲＡＮ）に関する。
【背景技術】
【０００２】
ＮＲ（３ＧＰＰ  ５Ｇ移動無線システム）の物理層は、複数の送信数秘術（transmission numerologies）、様々なデータ送信時間間隔、およびレイテンシが重要な用途における早期復号に対応することによって、膨大な数の異なる送信シナリオを扱うことが期待される。これらの新しいシナリオによって、ＬＴＥが最初に設計されたときよりも物理層が更に柔軟であることが必要となる。これらの新しい送信シナリオに加えて、ＮＲの物理層は、ＳＩＮＲ、ドップラー、遅延広がり、およびチャネルリッチネス（channel richness）の多くのばらつきに関して、異なる送信特性を扱うことができるべきである。
【０００３】
移動無線システムでは、物理層制御およびデータチャネル信号のコヒーレント復調のための参照信号が、ＯＦＤＭ波形内で送信されてもよい。参照信号（ＲＳ）は、物理層チャネルを用いて多重化され、ネットワークによって設定されるような、ＯＦＤＭの時間−周波数リソースグリッドにマッピングされる。ＬＴＥダウンリンクでは、復調は、セル固有ＲＳ（ＣＲＳ）またはＵＥ固有ＲＳ（例えば、ＤＭ−ＲＳ）のどちらかに基づくことができ、使用されるタイプは設定された送信モードに応じて決まる。時間−周波数リソースグリッドに対するＣＲＳのマッピングは、初期のアクセス中に導き出される、セル固有周波数シフトを伴う送信アンテナ設定から得られるが、ＤＭ−ＲＳマッピングは、ＭＩＭＯ層の数に応じて決まる。
【０００４】
ＵＥ特異的な設定のＤＭ−ＲＳは、対応する物理層チャネルと同じやり方でプリコードし、ＭＩＭＯ層の数を無線チャネル条件に合わせて動的に適合させることができる。したがって、ＵＥに対してスケジューリングされた空間ＭＩＭＯ層それぞれに対して１つのＤＭ−ＲＳアンテナポートが使用される。アンテナポートは、時間および周波数領域全体にわたるリソースエレメントの所与のＲＳパターンに関連付けられる。異なるアンテナポートを異なるリソースエレメントにマッピングして、直交性をもたらしてもよい。
【０００５】
したがって、送信されたＭＩＭＯ層はそれぞれ、１つの関連付けられたＤＭ−ＲＳアンテナポートを有し、その層で送信されたデータは、関連付けられたＤＭ−ＲＳと同じプリコーダを用いてプリコードされるので、関連付けられたＤＭ−ＲＳアンテナポートでデータが送信されると言われる。受信機は、層のデータを復調するときに、関連付けられたアンテナポートを使用することになる。
【０００６】
受信機におけるチャネル推定性能が向上するので、異なるアンテナポートが送信の際に直交しているのが好ましいことがある。これは、時間および周波数の分離によって（異なるリソースエレメント）、または時間もしくは周波数に関して複数のリソースエレメントにわたって直交カバーコード（ＯＣＣ）との組み合わせを使用することによって、達成することができる。
【０００７】
ＤＭ−ＲＳを用いて、ＬＴＥは、時間に関してＯＣＣを使用することによって、ダウンリンクの８層以下のＭＩＭＯ層に対応する。
【０００８】
図１は、ＣＲＳおよびＤＭ−ＲＳパターンのマッピングを例示的に示している。
【０００９】
ＬＴＥと同じく、ＮＲは、参照信号および物理層チャネルが時間−周波数リソースグリッドにマッピングされた、ＯＦＤＭに基づく波形を使用することになる（特に、ＤＬの場合であって、ＵＬでは、ＯＦＤＭの特別な波形ＳＣ−ＦＤＭが使用されることがある）。物理層チャネルの復調のためにＮＲで使用される参照信号はまだ規定されていないが、主に、多重送信数秘術、可変のデータ送信時間間隔、およびレイテンシが重要な用途における早期復号に対応することができる、ＵＥ特異的に設定されたＤＭ−ＲＳパターンに基づくことになる。
【００１０】
図２は、早期復号または低ドップラー／低ＵＥ移動性（例えば、低い相対速度）に関する要件を満たすように考察されてきた、ＤＭ−ＲＳ構造を示している。この構造では、ＤＭ−ＲＳの早期送信によって、データの復調および復号を、スロットにおける第２のＯＦＤＭシンボル受信のほぼ直後に開始することができるようになる。
【発明の概要】
【００１１】
本開示の目的は、特にＰＴ−ＲＳにおいて、参照シグナリングの扱いを改善することを可能にする方策を提供することである。いくつかの態様における方策は、位相エラーの設定および／または適合的補正に対するオーバーヘッドを少なくするのを容易にすることができる。
【００１２】
１つまたは複数の送信パラメータに基づいて、参照シグナリングおよび／または参照シグナリングを含むシグナリングの送信に適合された、無線アクセスネットワークの送信ノードが開示される。参照シグナリングは、位相トラッキング参照シグナリングを含み、１つまたは複数の送信パラメータは変調および符号化方式（ＭＣＳ）を含む。
【００１３】
また、無線アクセスネットワークにおいて送信ノードを操作する方法であって、１つまたは複数の送信パラメータに基づいて、参照シグナリングおよび／または参照シグナリングを含むシグナリングを送信することを含む方法。参照シグナリングは、位相トラッキング参照シグナリングを含み、１つまたは複数の送信パラメータは変調および符号化方式（ＭＣＳ）を含む。
【００１４】
１つまたは複数の送信パラメータは、例えば、設定、ならびに／あるいは物理チャネルのような専用チャネル（例えば、ＰＵＳＣＨのような物理アップリンク共有チャネルのようなデータチャネル、またはＰＤＳＣＨのような物理ダウンリンク共有チャネル、またはＰＵＣＣＨもしくはＰＤＣＣＨのような物理アップリンクもしくはダウンリンク制御チャネルのような制御チャネル）に従った、送信ノードによる送信に関連してもよい。
【００１５】
したがって、参照シグナリングが送信されるべきか否か、ならびに／またはどのように送信されるべきかを示す、追加のシグナリングは不要である。
【００１６】
概して、１つまたは複数の送信パラメータは、制御メッセージ、特にＤＣＩメッセージを用いて、設定または指示されてもよい。位相トラッキング参照シグナリングのような参照シグナリングの送信は、参照シグナリング設定に基づいてもよい。設定は、制御メッセージ、例えばその中のＭＣＳ指示によって示されてもよい。ＭＣＳ指示は、一般に、ＭＣＳのタイプ、および／または使用されるＭＣＳもしくは送信に使用されるＭＣＳを示す、インジケータまたはインデックスまたはポインタまたは値またはビットフィールドを含んでもよい。送信パラメータは、設定またはスケジューリングされてもよく、スケジューリングパラメータと見なされてもよい。
【００１７】
送信ノードは、無線ノード、特に端末またはネットワークノードであってもよい。参照シグナリングまたは関連する送信を受信する受信ノードは、補完的なネットワークノードまたは端末であってもよい。
【００１８】
場合によっては、送信はダウンリンクであってもよく、ならびに／あるいは端末特異的、および／またはビーム形成されてもよい。
【００１９】
位相トラッキング参照シグナリングは、例えばキャリアまたは搬送周波数に関連付けられた、１つまたは複数のサブキャリア上であってもよい。１つまたは複数のサブキャリアは、例えば、同じスロットもしくはサブフレームに対して、ならびに／または位相トラッキング参照シグナリングよりも時間的に先行して、復調参照シグナリング（ＤＭ−ＲＳ）もスケジューリングされるキャリアであってもよい。
【００２０】
また、制御回路構成によって実行可能なコードであって、本明細書に記載するような方法を制御回路構成によって実施および／または制御させるコードを含む、プログラム製品が開示される。
【００２１】
更に、本明細書に記載するようなプログラム製品を保持および／または格納する、キャリア媒体装置が記載される。
【００２２】
代替または追加の方策も以下に考察する。
【００２３】
図面は、本明細書に記載する概念および方策を単に例示するものであり、概念および方策の範囲を限定しようとするものではない。
【図面の簡単な説明】
【００２４】
【図１】ＬＴＥにおけるＣＲＳおよびＤＭ−ＲＳパターンを示す図である。
【図２】早期復号／低ドップラーに対応するＮＲにおける可能なＤＭ−ＲＳパターンを示す図である。
【図３】異なる変調および符号化方式に関する、１０および６０ＧＨｚの搬送周波数における位相雑音由来のエラーを示す図である。
【図４】ＮＲにおける高搬送周波数でのＰＴ−ＲＳの追加を示す図である。
【図５】ＭＣＳ依存のＰＴ−ＲＳ設定を示す図である。
【図６】Ａ（受信）、Ｂ（送信）の２つの事例に対する方法の例示的なフローチャートである。
【図７】搬送周波数Ｆに依存する、高ＭＣＳに対してのみ可能なＰＴ−ＲＳを示す図である。
【図８】ＰＴ−ＲＳの代わりのマッピングデータ、またはＰＴ−ＲＳリソースエレメントのミューティング（ゼロ電力）のどちらかを指す、「ＰＴ−ＲＳなし」を示す図である。
【図９】ａ）分散ＰＴ−ＲＳ、ｂ）局所化ＰＴ−ＲＳのＰＴ−ＲＳ配置の例示を示す図である。
【図１０】例えばＭＩＭＯに対する、複数の無線回路が利用可能なシナリオを示す図である。
【図１１】端末またはユーザ機器として実現された例示の無線ノードを示す図である。
【図１２】ｅＮｏｄｅＢまたはｇＮｏｄｅＢのようなネットワークとして実現された例示の無線ノードを示す図である。
【発明を実施するための形態】
【００２５】
以下、ＮＲ技術に焦点を当てて方策について記載する。しかしながら、他のシステムにも同様に適用可能である。
【００２６】
高搬送周波数におけるＮＲ配備では、無線リンクは、ＮＲで目標とされるよりもはるかに低い搬送周波数で配備されるＬＴＥと比較して、いくつかの新しい性質を示すことになる。根本的な変更の１つは、位相雑音を由来とする問題が搬送周波数に伴って増加するため、新しい位相参照信号ＰＴ−ＲＳ（位相トラッキングＲＳ）が必要とされることである。かかる信号は、ＯＦＤＭシンボル内の全てのサブキャリアで等しく経験される、位相雑音由来の共通の位相エラー、およびサブキャリア間の直交性が失われることによって起こるキャリア間干渉（ＩＣＩ）の両方を緩和するのに使用することができる。位相雑音の影響が図３に示されており、図では、異なる符号化および変調方式に対して、１０および６０ＧＨｚの搬送周波数における、位相雑音ありおよびなしのリンクスループットが示されている。１０ＧＨｚでは、位相雑音が性能に与える影響は限られているが、６０ＧＨｚでは、６４ＱＡＭなどの高次のコンステレーションと通信するときに著しい性能の損失が観察される。図は、位相雑音の影響を低減するのに使用されるＰＴ−ＲＳ信号が、主に、特定のＭＣＳおよび搬送周波数で有益であることを示している。
【００２７】
このＰＴ−ＲＳ参照信号は、アップリンクおよびダウンリンクの両方で必要な場合がある。この信号は、精密な搬送周波数同期および位相雑音補償の両方で使用できることが予見される。この信号は、高搬送周波数でのみ存在し必要とされるものと仮定され、ＤＭ−ＲＳの他の性質はある程度不変のままであることができる。高搬送周波数におけるＰＴ−ＲＳの追加の一例が、図４に示されている。
【００２８】
高周波数におけるＰＴ−ＲＳの追加によって常にオーバーヘッドが追加されるが、ＰＴ−ＲＳを半静的に設定することによって、システムが送信条件の変化に素早く適応しにくくなる。したがって、例えば、ＭＣＳの指示またはスケジューリングされたＭＩＭＯ層の数など、１つまたは複数のスケジューリングパラメータを使用して、ＰＴ−ＲＳ設定を動的に示すことが提案される。場合によっては、ＰＴ−ＲＳは存在しない場合があり、復調性能の低下は無視できる程度であるがオーバーヘッドが低減され、要約すると、ユーザデータのスループットが改善されることが観察されている。
【００２９】
適応性ＰＴ−ＲＳを使用することは、達成されるＳＩＮＲと選択されるＭＣＳとが直接対応し、更にＣＰＥおよびＳＩＮＲの必要性と使用される変調方式（例えば、ＱＰＳＫ、１６  ＱＡＭ、および６４−ＱＡＭ）とが直接対応するので、非常に効率的である。例えば、コスケジューリングされたユーザの数の変更によって、ＭＣＳが迅速に変化する場合、ＰＴ−ＲＳの再設定は不要である。提案される解決策を用いて、コスケジューリングによるＭＣＳの調節によって、ＰＴ−ＲＳの適正な設定が直接得られる。
【００３０】
更に、複数のＭＩＭＯ層が同じＵＥに対してスケジューリングされると、正確なチャネル推定の必要性が高まり、ＵＥが層間干渉を抑制するのを支援するのにＰＴ−ＲＳが有用である。
【００３１】
概して、無線通信ネットワークおよび／または無線アクセスネットワークに関して、送信ノードが考慮されてもよい。送信ノードは、参照シグナリング、および／または参照シグナリングを含むシグナリングを送信するように適合されてもよい。参照シグナリングは、特に、ＰＴ−ＲＳのような位相トラッキング参照シグナリングを含むか、またはかかるシグナリングであってもよい。送信、および／または参照シグナリング、および／または参照シグナリングの参照シグナリング設定は、例えば送信されるシグナリングの、１つもしくは複数の送信パラメータに基づいてもよく、ならびに／あるいは使用されるリンク適合に基づいてもよい。送信ノードは、かかる送信に使用される対応して適合された送信回路構成、および／または対応して適合された送信モジュールを含んでもよい。代わりに、または加えて、送信ノードは、例えば端末に対して、参照シグナリング設定を、例えば暗示的もしくは明示的に示すように適合されてもよい。ノードは、対応する指示モジュールを含んでもよく、ならびに／または送信回路構成がそれに使用されてもよい。更に代わりに、または加えて、送信ノードは、１つまたは複数の送信パラメータに基づいて、送信に使用される参照シグナリング設定を決定するように適合されてもよい。送信ノードは、対応して適合された制御回路構成、および／または決定モジュールを含んでもよい。シグナリング（参照シグナリングを含んでもよい）の送信および／または参照シグナリングの送信は、かかる設定に基づいてもよい。参照シグナリング設定は、送信ノードによって送信される参照シグナリングに関連してもよい。
【００３２】
無線通信ネットワークおよび／または無線アクセスネットワークに対して、またはかかるネットワーク内で送信ノードを操作する方法を考慮することができる。方法は、参照シグナリング、および／または参照シグナリングを含むシグナリングを送信することを含んでもよい。参照シグナリングは、特に、ＰＴ−ＲＳのような位相トラッキング参照シグナリングを含むか、またはかかるシグナリングであってもよい。送信、および／または参照シグナリング、および／または参照シグナリングの参照シグナリング設定は、例えば送信されるシグナリングの、１つもしくは複数の送信パラメータに基づいてもよく、ならびに／あるいは使用されるリンク適合に基づいてもよい。代わりに、または加えて、方法は、例えば端末に対して、参照シグナリング設定を、例えば暗示的もしくは明示的に示すことを含んでもよい。更に代わりに、または加えて、方法は、１つまたは複数の送信パラメータに基づいて、送信に使用される参照シグナリング設定を決定することを含んでもよい。送信ノードは、対応して適合された制御回路構成、および／または決定モジュールを含んでもよい。シグナリング（参照シグナリングを含んでもよい）の送信および／または参照シグナリングの送信は、かかる設定に基づいてもよい。参照シグナリング設定は、送信ノードによって送信される参照シグナリングに関連してもよい。
【００３３】
無線通信ネットワークおよび／またはＲＡＮにおいて受信ノードを操作する方法を考慮することができる。方法は、ＰＴ−ＲＳ設定であってもよい参照シグナリング設定に基づいて、参照シグナリング、特にＰＴ参照シグナリングを受信することを含んでもよい。代わりに、または加えて、方法は、参照シグナリング設定、特にＰＴ−ＲＳ設定を決定することを含んでもよい。参照シグナリング設定は、受信ノードによって受信される参照シグナリングに関連してもよい。
【００３４】
無線通信ネットワークおよび／またはＲＡＮの受信ノードについて考慮することができる。受信ノードは、ＰＴ−ＲＳ設定であってもよい参照シグナリング設定に基づいて、参照シグナリング、特にＰＴ参照シグナリングを受信するように適合されてもよい。受信ノードは、かかる受信のために（受信ノードの）受信回路構成を使用するように適合されてもよく、ならびに／あるいは対応する受信モジュールを含んでもよい。代わりに、または加えて、受信ノードは、参照シグナリング設定、特にＰＴ−ＲＳ設定を決定するように適合されてもよい。受信ノードは、かかる決定のために（受信ノードの）制御回路構成を使用するように適合されてもよく、ならびに／あるいは対応する決定モジュールを含んでもよい。参照シグナリング設定は、受信ノードによって受信される参照シグナリングに関連してもよい。
【００３５】
代わりに、または加えて、想起されることがあってもよい。
【００３６】
一般に、無線通信ネットワークおよび／またはＲＡＮの無線ノードが考慮されてもよく、無線ノードは、本明細書に記載するパターンのいずれかに基づいて、ＰＴ−ＲＳを受信および／または送信するように適合される。無線ノードは、対応して適合される受信および／または送信回路構成、ならびに／あるいは対応する送信または受信モジュールを含んでもよい。無線通信ネットワークおよび／またはＲＡＮに対して無線ノードを操作する方法を考慮することができる。方法は、本明細書に記載するパターンのいずれかに基づいて、ＰＴ−ＲＳを受信および／または送信することを含んでもよい。無線ノードは端末またはネットワークノードであってもよい。受信および／または送信は、参照シグナリング設定、特にＰＴ−ＲＳ設定に基づいてもよい。
【００３７】
参照シグナリングを受信することは、概して、参照シグナリング設定に基づいて参照シグナリングを評価すること、および／または参照シグナリングを使用して、参照シグナリングに関連付けられる受信したシグナリングを扱うことを含んでもよい。扱うことおよび／または評価することは、ＲＳを測定すること、ならびに／あるいはＲＳおよび／またはＲＳの測定値に基づいて、シグナリングを復号および／または復調することを含んでもよい。受信ノードは、かかる評価のための評価モジュールを含んでもよく、ならびに／あるいは制御回路構成および／または無線回路構成が、かかる評価に適合されてもよい。特に、無線回路構成（特に、受信回路構成）は、対応する測定のために測定回路構成を含んでもよく、ならびに／あるいはかかる回路構成に接続されるかまたは接続可能であってもよい。概して、シグナリングのどの部分が参照シグナリングと、特にＰＴ−ＲＳと見なされるべきであるかをＲＳ設定が特定するという仮定に基づくということを、受信が含むこと、ならびに／あるいは参照シグナリング設定がそれに基づくことが、考慮されてもよい。
【００３８】
参照シグナリングに関連付けられたシグナリングは、同じリソースブロックおよび／またはＴＴＩ（送信時間間隔）および／またはサブフレームで送信または受信されるシグナリング、ならびに／あるいは参照シグナリングに基づいて復号および／または復調されるシグナリングであってもよい。参照シグナリングに関連付けられたシグナリングは、どの参照シグナリングに基づいてどのリソース／シグナリングが扱われるべきかを特定してもよい、規格の規定に従ってリソースを費やしてもよい。キャリアおよび／またはリソースブロックおよび／またはサブフレームおよび／またはＴＴＩの各サブキャリアに関して、１つの関連付けられたＰＴ−ＲＳがこのサブキャリアに存在するので、このサブキャリアに関連付けられたリソースに対するシグナリングは、このＰＴ−ＲＳ信号に基づいて扱われることが考慮されてもよい。
【００３９】
受信ノードは、一般に、無線ノード、特に端末であってもよい。しかしながら、場合によっては、特にＯＦＤＭでＵＬを送信する端末に適合されたネットワーク（ＤＦＴ−ＯＦＤＭとは対照的）の場合、受信ノードはネットワークノードであってもよい。
【００４０】
参照シグナリング設定は、一般に、ＰＴ−ＲＳ設定であってもよい。
【００４１】
参照シグナリング設定（ＲＳ設定）、特にＰＴ−ＲＳ設定は、一般に、例えば、リソース、ならびに／あるいは時間／周波数にわたる、例えばサブフレームおよび／またはＴＴＩにわたる、信号の分布もしくはパターン、ならびに／あるいは関連する電力および／または変調に関して、参照シグナリングを特定および／または説明してもよい。参照シグナリング設定は、制御メッセージの形で送信されてもよい、１つまたは複数のインジケータによって（例えば、明示的に）示されてもよく、また例えば、設定をＲＳ設定テーブルに対して直接指示および／またはインデックス付けしてもよい。代わりに、または加えて、ＲＳ設定は、１つまたは複数の送信パラメータ（例えば、制御メッセージの形）の指示によって示されてもよい。この場合、例えば適切なテーブルまたは関数で、参照シグナリングに対する１つまたは複数の送信パラメータの（例えば、一意の）マッピングが定義されてもよい。かかるマッピングは、送信ノードおよび／または受信ノードで利用可能であってもよく、ならびに／あるいはかかるノードで実現されてもよい。ＲＳ設定は、特定の種類の参照シグナリング、特にＰＴ−ＲＳが、例えば特定のＭＣＳに対して使用されないことを示してもよい。ＲＳ設定は、基準となる送信パラメータが有効および／または有用である限り、有効であってもよい。
【００４２】
送信パラメータは、概して、送信の特性、特に物理的特性を説明してもよい。送信パラメータは、変調および／または符号化、特に変調および符号化方式（ＭＣＳ）を示すパラメータを含んでもよい。例えばＱＡＭを使用して、位相空間内で符号化されるビットの数は、送信パラメータとして見ることができる。送信パラメータは、周波数（または送信の周波数範囲、例えばキャリアおよび／または使用されるサブキャリアおよび／または帯域幅）を含んでもよい。送信パラメータは、リソース、特に時間／周波数リソース、例えばスケジューリングされたリソースを含むものと見なされてもよい。いくつかの変形例では、送信パラメータは、予期されるＩＣＩと予期されるＣＰＥとの関係（例えば、比）を含んでもよい。送信パラメータは、ＭＩＭＯ層および／または送信ランク、ならびに／あるいはビーム形成設定、例えばプリコーディングおよび／またはビーム形状（例えば、幅および／もしくは高さ）を説明するパラメータを含んでもよい。送信パラメータは、特に送信される他の参照シグナリング、例えばＤＭ−ＲＳに関連する、スケジューリング情報を含んでもよい。
【００４３】
送信ノードは、無線ノード、例えばネットワークノードであってもよい。送信は、ＤＬであってもよく、ならびに／あるいはＯＦＤＭを利用してもよい。しかしながら、送信ノードは、場合によっては、ＵＬで送信してもよく、ならびに／あるいはＯＦＤＭもしくはＳＤ−ＦＤＭを利用してもよい、端末であってもよい。
【００４４】
制御メッセージは、制御情報および／またはスケジューリング情報（例えば、スケジューリングされたリソースを表す）を含むメッセージ、ならびに／あるいは１つまたは複数の送信パラメータの指示であってもよい。制御メッセージは、無線または物理層メッセージであってもよい。ＵＬで送信される制御メッセージは、ＵＣＩメッセージ（アップリンク制御情報）であるものと見なされてもよい。ダウンリンクで送信される制御メッセージは、ＤＣＩメッセージ（ダウンリンク制御情報）であってもよい。かかるメッセージは、規格、例えば、ＮＲのような、ならびに／あるいは利用されるＲＡＮに関連付けられる３ＧＰＰ規格に従ってもよい。
【００４５】
「動的」という用語または類似の用語は、概して、（比較的）短い時間スケールに対して有効な、および／またはスケジューリングされた、および／または設定された設定／送信、ならびに／あるいは（例えば、予め定義された、および／もしくは設定された、および／もしくは限定された、および／もしくは有限の）多数の発生および／または送信タイミング構造、例えばスロットもしくはスロット集合体のような１つもしくは複数の送信タイミング構造、ならびに／あるいは１つまたは複数（例えば、特定の数）の送信／発生に関連してもよい。動的設定は、低レベルシグナリング、例えば、特にＤＣＩの形態の、物理層および／またはＭＡＣ層に対する制御シグナリングに基づいてもよい。周期的／半静的とは、より長い時間スケール、例えば数スロットおよび／または１つを超えるフレーム、ならびに／あるいは例えば、動的設定が矛盾するまで、もしくは新しい周期的設定が到着するまでの、定義されない数の発生に関連してもよい。周期的または半静的設定は、より高次の層のシグナリング、特にＲＣＬ層シグナリングおよび／またはシグナリングおよび／またはＭＡＣシグナリングＲＲＣに基づいてもよく、ならびに／あるいはそれを用いて設定されてもよい。
【００４６】
リンク適合は、概して、例えば干渉、信号の質、信号体雑音などに基づいて、ＭＣＳを動作条件に適合させることを説明するものと見なされてもよい。
【００４７】
参照シグナリングは、ＰＴ−ＲＳおよび／または対応する信号を含んでもよい。
【００４８】
一般に、参照シグナリング、および／またはＲＳ設定は、特にＲＳで使用されるパターンおよび／またはリソースに関連して、本明細書に記載する方策または提案のいずれかに従ってもよい。
【００４９】
以下、「ユーザ機器」、またはＵＥという用語は、「端末」という用語を表すものと見なされてもよく、これらの用語は互換であってもよい。
【００５０】
プリコーディングは、例えばビーム形成のため、信号を送信する複数のアンテナそれぞれに、振幅および／または位相シフトを適用することを指してもよい。かかるプリコーディングは、予め定義されるかあるいは動的に定義されてもよい、プリコーダであってもよいコードブックに基づいてもよく、および／またはかかるコードブックを利用してもよく、ならびに／あるいはコードブックはそれらの組み合わせを含んでもよい。
【００５１】
ＭＣＳ依存の方策の一例として、基本的事例では、第１の範囲ＭＣＳ  ０…ｎの場合、ＰＴ−ＲＳは設定されず、第２の範囲ＭＣＳ  ｎ＋１…Ｎの場合、図５に示されるように、所定のまたは半静的に設定された周波数密度で設定された、ＰＴ−ＲＳが存在する。したがって、選択可能なＭＣＳのセットに対して、第１のサブセットの場合、ＰＴ−ＲＳは送信されないものと示されてもよく（例えば、０…ｎ）、第２のサブセットの場合、ＰＴ−ＲＳは送信されるものと示されてもよい（例えば、ｎ＋１…Ｎ）。セットは、より大きいｎに対して、変調次数が（単調に、もしくは厳密に単調に）増加することが示されてもよい。一般に、ＭＣＳは、例えばテーブルをインデックス付けする、数および／またはパラメータによって示されてもよい。いくつかの変形例では、ＭＣＳの指示は、例えば、異なる関連付けられたおよび／または示されたＰＴ−ＲＳ設定、例えば、ＭＣＳタイプに対して選択可能もしくは指示可能な、ＰＴ−ＲＳなし、ＰＴ−ＲＳもしくは異なるリソースの分布、および／またはＰＴ−ＲＳの密度を用いて、同じタイプの複数の（少なくとも２つの）ＭＣＳを指示および／または選択するように適合されてもよい。かかる複数のＭＣＳは、１つまたは複数のＭＣＳタイプに対するものであってもよい。
【００５２】
ＭＣＳタイプは、使用される変調および／または変調の次数を示してもよい。ＭＣＳタイプの例は、ＢＰＳＫ、ＱＰＳＫ、ＱＡＭ、例えば、Ｉが例えば４もしくは８もしくは１６もしくは３２もしくは６４もしくは１２８もしくは２５６などである、Ｉ−ＱＡＭを含む。高ＭＣＳは、高次の、例えば３２以上のＭＣＳタイプを指してもよく、低ＭＣＳは、低次の、例えば３２未満のＭＣＳタイプを指してもよい。高ＭＣＳと低ＭＣＳとの比較は、一般に、大きいＭＣＳは小さいＭＣＳよりも高次のものであることを示唆することが考慮されてもよい。
【００５３】
実現のためのアルゴリズムは、図６に示されるような動作を含んでもよい。
【００５４】
動作Ｓ１０で、ＤＣＩメッセージのような制御メッセージが、端末のような送信ノードによってそれぞれ受信されてもよく、メッセージおよび／または関連付けられた制御情報は、ネットワークノードのような受信ノードによって決定および／または送信されてもよい。制御メッセージまたはＤＣＩは、ＭＣＳの指示を含んでもよい。任意に、送信のため、例えばＰＵＳＣＨおよび／もしくはＰＵＣＣＨに関する、データまたは制御情報のリソース、例えば時間／周波数リソースを示してもよい。リソースは、リソースセットとして、例えばリソースの指示を用いて示されてもよい。任意の動作Ｓ１２で、送信のための搬送周波数が決定されてもよく、ならびに／あるいは、例えば、静的および／もしくは半静的であってもよい格納された情報および／または設定に基づいて、搬送周波数での送信に対して無線回路構成が設定（もしくは保持）されてもよい。動作Ｓ１４で、ＰＴ−ＲＳマッピングが決定されてもよい。マッピングは、例えばリソースセットのうち、どのリソースに対して、ＰＴ−ＲＳが送信されるかを示してもよい。マッピングは、示されるＭＣＳおよびリソースセットおよび搬送周波数に基づいて決定されてもよい。受信ノードは、マッピングに基づいて、シグナリングの受信の動作Ｓ１６Ａを実施してもよい。受信は、ＰＴ−ＲＳマッピングと、例えば送信機と受信機との間の信号移動時間による、時間遅延とを考慮した、受信を含んでもよい。送信ノードは、ＰＴ−ＲＳマッピングに基づいた送信の動作Ｓ１６Ｂ、例えばＰＴ−ＲＳを含むシグナリングの送信を実施してもよい。関連付けられた動作を実施するように適合された受信ノードが考慮されてもよい。関連付けられた動作を実施するように適合された送信ノードも考慮されてもよい。
【００５５】
例示的な変形例に関して、ＭＣＳの明確な区別が提供されてもよく、即ち、図７に示されるように、ＭＣＳテーブルは、搬送周波数が増加するにつれて、ＰＴ−ＲＳの使用をどんどん低ＭＣＳへと拡張することになる。
【００５６】
いくつかの変形例では、本明細書で例示的に考察するように、ＰＴ−ＲＳの複数の異なる密度が考慮されてもよい。場合によっては、ＰＴ−ＲＳを有するＭＣＳと有さないものとが交互であってもよく、例えば、示されたＭＣＳ  ０、…、４、６、８はＰＴ−ＲＳを使用しないが、ＭＣＳ  ５、７、９、…、ＮはＰＴ−ＲＳを使用する。
【００５７】
同様に、ＰＴ−ＲＳの存在は、ＵＥに対してスケジューリングされたＭＩＭＯ層の数に応じて決まってもよい。一変形例では、ＰＴ−ＲＳは、１つを超える層がスケジューリングされている場合のみ存在する。別の変形例では、ＰＴ−ＲＳは、ＭＣＳを使用する組み合わせ基準および層の数の両方が満たされているときに存在してもよい。例えば、高ＭＣＳおよび単層の場合、ＰＴ−ＲＳは存在してもよく、複数層の場合、いずれのＭＣＳであっても、やはり存在してもよい。
【００５８】
層の数に関する別の変形例では、ＰＴ−ＲＳの複数の異なる密度が定義されてもよく、容認可能な密度は、スケジューリングされた層の数に応じて決まってもよい。
【００５９】
変形例は、ＣＰＥに対するＰＴ−ＲＳと、ＣＰＥおよびＩＣＩに対する拡張されたＰＴ−ＲＳを考慮してもよい。
【００６０】
いくつかの変形例では、搬送周波数が十分に高く、ＣＰＥを補正するには不十分であるが、より広範な位相雑音補償が求められる場合の、標的シナリオが存在してもよい。ＩＣＩは、非常に高い周波数でのＳＩＲの著しい低下を生み出すことがあり、周波数の増加とともに大きく増加する傾向がある。このことは、共通の位相エラーが補正を必要とするだけではなく、それよりもむしろ、過度なＩＣＩを回避するのに１つのＯＦＤＭシンボル内での補正が必要であることを示唆している。そのため、方策は、依然としてＭＣＳに応じて決まる場合があるが、異なるＰＴ−ＲＳリソースマッピングを設定する。例えば、低ＭＣＳの場合、ＰＴ−ＲＳを使用しないことが示されてもよく、中程度のＭＣＳの場合、ＣＰＥの補償に十分なＰＴ−ＲＳの使用が示されてもよく、高ＭＣＳの場合、ＯＦＤＭシンボル内の位相雑音の補償を可能にし、したがってＩＣＩも緩和する、拡張されたＰＴ−ＲＳリソース設定の使用が示されてもよい。
【００６１】
ＵＬにおけるＤＦＴ−Ｓ−ＯＦＤＭ（本明細書では、ＳＣ−ＦＤＭとも呼ばれる）を使用したカバレッジのＭＣＳ値を有する変形例について考察する。ＮＲは、ＵＬにおけるＣＰ−ＯＦＤＭおよびＤＦＴ−Ｓ−ＯＦＤＭ両方の波形に対応する。例えば、必要に応じて改善されたＵＬカバレッジを達成するため、ＤＦＴ−Ｓ−ＯＦＤＭを使用することができる。ＣＰ−ＯＦＤＭと比べてはるかに低いＤＦＴ−Ｓ−ＯＦＤＭのピーク対平均出力比（ＰＡＰＲ）によって、潜在的に高い平均ＵＥ出力電力がもたらされる。ＤＦＴ−Ｓ−ＯＦＤＭの１つの影響は、低いＰＡＰＲを保存するため、参照信号を物理層チャネルと時分割多重化すべきという点である。ＣＰＥはＯＦＤＭシンボルごとに変化するので、ＤＦＴ−Ｓ−ＯＦＤＭの場合、ＰＴ−ＲＳの使用の問題がある。このことは、いくつかの変形例では、低ＭＣＳ値の一部は、より良好なカバレッジに使用され、ＤＦＴ−Ｓ−ＯＦＤＭを利用してもよいが、より高いＭＣＳ値は、データ率およびスペクトル効率に使用されてもよいことを示唆している。したがって、いくつかの変形例では、カバレッジＭＣＳはＤＦＴ−Ｓ−ＯＦＤＭと関連付けられ、これらの例では、ＰＴ−ＲＳ送信に対してリソースが指示または保存されない。
【００６２】
いくつかの低ＭＣＳ値は、潜在的にＣＰ−ＯＦＤＭにマッピングされ、したがって設定されたＰＴ−ＲＳを有し得ることに注目することができる。これは、場合によっては、乏しいカバレッジよりも高い干渉により、低ＳＩＮＲを標的にできることによる。
【００６３】
干渉を回避するのにリソースエレメントをミューティングする変形例について考慮する。いくつかの変形例では、ＰＴ−ＲＳからのオーバーヘッドは、必要なリソースエレメントの数ではなく（もしくはそれのみではなく）、コスケジューリングされたユーザに起こる干渉によるものである。例えば、一部のユーザが高ＭＣＳを使用し、一部が低ＭＣＳを使用するＭＵ−ＭＩＭＯのシナリオでは、低ＭＣＳユーザは、図８に示されるような「ＰＴ−ＲＳ」なしの場合、ＰＴ−ＲＳリソースエレメントにおいてミュートすることができる。
【００６４】
低ＳＩＮＲの場合、位相雑音の追加は雑音および干渉の影響によって消されることがあり、したがって、位相雑音の補償はほとんどまたは全く効果がないことがある。更に、ＣＰＥの特定の例では、より高次の変調方式の場合、位相エラーの追加はより厳密である。したがって、ＰＴ−ＲＳおよび位相雑音補償を用いる利益があまりまたは全くない場合、ＰＴ−ＲＳは不要なオーバーヘッドであることがあり、潜在的に性能を悪化させる。いくつかのシナリオでは、例えばいくつかのＤＦＴ−Ｓ−ＯＦＤＭの変形例に対して、ＰＴ−ＲＳの使用が禁止されることすらある。
【００６５】
ＰＴ−ＲＳ設定をＤＣＩの形でＵＥに対してシグナリングする方法が考慮されてもよく、ＵＥは、少なくともＭＣＳまたはＭＣＳ指示を含んで、ＭＩＭＯ層の数およびリソースマッピングを受信する。方法は、
前記ＤＣＩに関連付けられた搬送周波数を決定することと、
前記ＤＣＩおよび搬送周波数からＰＴ−ＲＳマッピングを導出することと、
前記導出したＰＴ−ＲＳマッピングを使用して無線通信を実施することとを含んでもよい。
【００６６】
概して、送信形式に関してＰＴ−ＲＳを動的に適合させることによって、損失データ要素に関して、または不要な干渉に関して、良好なＣＰＥ推定を必要とする高すぎるＳＩＮＲのユーザのオーバーヘッドを回避することが提案される。
【００６７】
代わりに、または上記に加えて、以下を考慮することができる。
【００６８】
位相雑音はいずれの実用的な通信システムにも存在し、受信信号の無作為な位相変動を導入することによってシステムに影響がある。ＯＦＤＭシステムの場合、このことは、キャリア間干渉、ならびに全てのサブキャリアに対する共通の位相エラー（ＣＰＥ）に結び付く。搬送周波数が増加すると、位相雑音のばらつきが増加して、問題がより顕著になる。ＮＲの場合、６ＧＨｚ以上の搬送周波数を標的とし、位相雑音を由来とするシステム性能の劣化を低減する対策を講じる必要がある。
【００６９】
以下、ＰＴ−ＲＳの設計上の態様について考察する。
【００７０】
位相雑音は、受信したコンステレーションシンボルの回転につながる、全てのサブキャリアに対する共通の位相エラー（ＣＰＥ）、ならびにキャリア間干渉（ＩＣＩ）の両方を生じさせる。ＣＰＥは、位相雑音によって生じるＩＣＩよりも優勢であることが観察される。したがって、考察は主に、ＣＰＥ推定にＰＴ−ＲＳを使用することに焦点を当てる。また、ＰＴ−ＲＳは周波数オフセット推定にも使用できることに言及すべきである。
【００７１】
より低次の変調は、より高次の変調と比べて位相エラーに対する感度が低いことが観察されてきた。したがって、ＣＰＥに伴う問題は、好適なチャネル条件のユーザに対してより顕著となり、より高次の変調に高ＳＮＲが必要とされることが予期される。したがって、ＰＴ−ＲＳは、全てのアクティブなＵＥとの間の送受信に必ずしも必要ではない。したがって、リソース利用の観点から、必要な場合のみＰＴ−ＲＳを送信することが有益である。これにより、ＵＬのオーバーヘッド、およびＤＬに関しては、ＵＥ特異的なＰＴ−ＲＳが使用される場合のオーバーヘッド、ならびにＤＬの共有ＰＴ−ＲＳの場合は干渉が低減される。
【００７２】
観察１：ＰＴ−ＲＳは、主に、好適でないチャネル条件のＵＥを除外して、より高次の変調がスケジューリングされているＵＥに必要となる。
【００７３】
観察２：必要な場合のみＰＴ−ＲＳを送信することによって、オーバーヘッドおよび干渉が低減されてもよい。
【００７４】
ＰＴ−ＲＳの観点から、ＵＬおよびＤＬは明確な形で異なる。ＵＬでは、異なるＵＥから受信した信号は、個々の位相雑音プロセスによって影響される。したがって、異なるＵＥは個々のＰＴ−ＲＳを送信することが求められる。ＤＬの場合、ＰＴ−ＲＳは、潜在的に、単一のＴＲＰ（送信ポイント）がサーブしている全てのＵＥの間で共有することができる。これは、リソースがＵＥの間で共有されるので、リソース利用の観点から有益なことがある。更に、適切に設計された場合、ＰＴ−ＲＳを、ＩＳＩの緩和に使用される粒子状位相雑音トラッキングに使用することができる。他方で、全てのＵＥをＰＴ−ＲＳが標的とするので、ＵＥ特異的なビーム形成を使用することができず、したがって、他の手段が講じられない限り、信号のカバレッジが低減される。この種の常時オン信号もサイト間干渉に追加される。更に、共有ＰＴ−ＲＳは、ＵＬおよびＤＬの設計の非対称性ももたらす。代替例は、代わりに、ビーム形成を可能にし、したがってカバレッジを改善する、ＵＥ特異的なＰＴ−ＲＳをスケジューリングすることである。
【００７５】
観察３：ＤＬの場合、ＰＴ−ＲＳは、共有またはＵＥ特異的のどちらかであることができ、両方とも更なる研究を要する多数の影響を有する。
【００７６】
以下のサブセクションでは、ＵＬおよびＤＬにおけるＵＥ特異的なＰＴ−ＲＳの影響について考察する。
【００７７】
ＵＬ  ＰＴ−ＲＳおよびＤＬにおけるＵＥ特異的なＰＴ−ＲＳの設計上の考慮点について、以下に提示する。
【００７８】
ＰＴ−ＲＳは、独立型の信号であるか、またはＤＭ−ＲＳとコスケジューリングすることができる。講じられる方策にかかわらず、位相雑音の可干渉時間が短いため、ＰＴ−ＲＳは、サブフレームのＯＦＤＭシンボルごとに送信する必要があることがある。同時に、ＣＰＥは、正確な補間を行うのに十分な低速で変動することができる。
【００７９】
観察４：ＰＴ−ＲＳは、潜在的に、各ＯＦＤＭシンボルで行われるよりも疎らに送信することができる。
【００８０】
ＰＴ−ＲＳの配置の例示が図９に示される。信号を設計する際に、ＤＭ−ＲＳとＰＴ−ＲＳとの交点を考慮しなければならないことに留意されたい。ＤＭ−ＲＳの直交性を保存するとともに、継続的なＤＭ−ＲＳ割当ての利用可能なチャネル推定処理利得を保存することが重要である。
【００８１】
観察５：ＰＴ−ＲＳは、ＤＭ−ＲＳに関連する処理に悪影響を与えないような形で、設計され配置されるべきである。
【００８２】
所与のサブキャリアにおけるＰＴ−ＲＳのリソースエレメントの値が、同じサブキャリアにおけるＤＭ−ＲＳの値を取るようにすることが考慮されてもよい。つまり、ＰＴ−ＲＳは、ＰＴ−ＲＳが存在するサブキャリアにおいてＤＭ−ＲＳを繰り返すことによって得られる。
【００８３】
提案１：所与のサブキャリアにおいて、ＰＴ−ＲＳは、そのサブキャリアにおけるＤＭ−ＲＳの値を繰り返すことによって形成されるべきである。
【００８４】
独立型の信号として設計された場合、１つまたは複数のＰＲＢ（物理リソースブロック）を潜在的に網羅する、周波数が良好に局所化されたＰＴ−ＲＳが好ましい。この制約は、時間に伴ってＣＰＥを追跡するのに必要な、チャネルを推定するときの処理利得を提供する。これには、プリコーディングなしでＰＴ−ＲＳを送信することが可能になって、特定のシナリオにおいてユーザ間で共有できるようになるという利益もある。ＤＭ−ＲＳから得られるチャネル推定値を使用して、特定のシナリオにおけるＣＰＥ推定性能を改善することができる。周波数が制約された信号の欠点は、周波数が分散された信号と比べて、周波数選択的フェージングに対する感度が高くなることである。
【００８５】
代わりに多数のサブキャリアにわたって信号を分散させることによって、ダイバーシティ利得が得られる。ＣＰＥ成分を推定するために初期チャネル推定値が必要なので、この構築にはＰＴ−ＲＳがＤＭ−ＲＳに依存することが求められる。この方策の利益は、ＤＭ−ＲＳに基づくチャネル推定値が、概して、大きい処理利得により、信頼性の高い参照ポイントを提供することである。いくつのサブキャリアがＰＴ−ＲＳに対して必要か、またスケジューリングされたリソースにおけるそれらの配置は、リンクの品質、ならびにスケジューリングされた帯域幅に応じて決まることがある。考慮すべき更なる態様は、異なるサブキャリア間隔に対してＰＴ−ＲＳの周波数をどのように分散させるかである。好ましくは、配置は数秘術的に独立しているべきである。周波数の配置および密度は更に研究されなければならない。
【００８６】
観察６：ＰＴ−ＲＳは、独立型の信号であるか、またはＤＭ−ＲＳとコスケジューリングすることができる。
【００８７】
観察７：周波数の配置は、数秘術に対して透明にすることができ、即ち、サブキャリアの間隔にかかわらず、同じＰＴ−ＲＳサブキャリア距離である。
【００８８】
ＭＩＭＯ送信の場合、どのＴｘポートをＰＴ−ＲＳ送信に使用するかという問題が生じる。ＣＰＥは、全てのＴｘポートに対して共通であるものと近似させることができるので、単一のポートでＰＴ−ＲＳを送信すれば十分であり得る。しかしながら、かかる構成は信号の電力密度などに対して影響することがある。
【００８９】
ＵＬにおけるコスケジューリングされたＵＥ送信の場合、同じ時間−周波数リソース内、例えばＭＵ−ＭＩＭＯで、ＵＥ間干渉に対処しなければならない。好ましくは、ＰＴ−ＲＳは、多数の直交信号が可能になるように設計することができる。位相雑音の可干渉時間が短いため、時間領域に符号化を適用するのは適切な選択肢ではないことがあり、代わりに周波数領域を直交性に関して活用する必要がある。それに加えて、多数のユーザをコスケジューリングする場合、代わりにＵＥの空間的分離を適用するとともに、受信機における干渉除去を使用するべきである。これにより、ＰＴ−ＲＳの容量設計の評価のために仮定される受信機タイプに対する要件が加えられる。
【００９０】
観察８：ＵＬの同じ時間−周波数リソース内のユーザをコスケジューリングする場合、直交ＰＴ−ＲＳ信号を送信することができるか、または空間的なＵＥ分離ならびに干渉除去受信機を活用することができる。
【００９１】
上記考察に基づいて、独立してまたは任意の組み合わせで実現されてもよい、以下のことを提案する。
【００９２】
提案２：基本線として、ＰＴ−ＲＳは必要な場合のみ送信されるべきである。
【００９３】
提案３：基本線として、ＰＴ−ＲＳはＵＥごとに設定可能であるべきである。
【００９４】
提案４：基本線として、ＰＴ−ＲＳはＤＭ−ＲＳとともに送信されるべきである。
【００９５】
提案５：オーバーヘッドおよびシステム性能に関して、求められるＰＴ−ＲＳの時間および周波数割当てについて研究する。
【００９６】
提案６：４つのＤＭ−ＲＳポートごとに１つの直交ＰＴ−ＲＳが、例えば、ＭＵ−ＭＩＭＯを扱うのに十分である。
【００９７】
提案７：ＰＴ−ＲＳを容量設計する際、Ｒｘアンテナ分岐の数および干渉抑制能力に関する受信機能力を考慮に入れる必要がある。
【００９８】
代わりに、または加えて、以下が考慮されてもよい。
【００９９】
ＭＩＭＯにおけるＤＬおよびＵＬ  ＣＰＥの補償について、以下に考察する。
【０１００】
より高い搬送周波数のＮＲでは、３ＧＰＰが位相雑音の影響を研究すべきであることが同意されている。位相雑音に関して、主な焦点は、位相雑音の大部分を設定する共通の位相エラー（ＣＰＥ）を補償するため、位相雑音補償参照信号（ＰＴ−ＲＳ）を導入することである。ＣＰＥ補償を評価する際、焦点は、低いオーバーヘッドを維持しながら、異なる配備シナリオに対するＣＰＥの十分な品質推定値を有することである。
【０１０１】
ＣＰＥ補償は、ＳＩＮＲが高く変調が大きいほど重要であり、したがって、ＵＥが受信機およびＲＸ／ＴＸチェーンの数に関してより能力があると仮定できる場合、より高いビット率のシナリオが標的とされる。より高いＳＩＮＲは、より高次の空間多重化にも適切であり、したがって、ＭＩＭＯ評価に関する評価の仮定を考慮すべきである。
【０１０２】
より高い周波数では、より小さいサイズのアンテナ素子は、所与の面積により多くのアンテナ要素を適合させることができることを示唆する。これらのいくつかは、経路損失に対抗するのに利用することが必要になる。しかしながら、多くのシナリオでは、例えばホットスポットトラフィックのオフロードシナリオの場合、一般的なＬＴＥシナリオよりも多くのＲＸ／ＴＸチェーンを追加することもできる。受信機では、このより多数のアクティブなＲＸ分岐を利用して、かかるホットスポットのシナリオにおいて、より高次の空間多重化を可能にするという可能性がある。ＵＬの場合、ＵＬ  ＭＵ−ＭＩＭＯのより多数の相関していないＴＸ位相雑音成分は、ＵＬにおける直交ＰＴ−ＲＳ信号の必要数を調整することができる。したがって、リソースが半静的にアサインされた場合、少なくとも無線インターフェースに関してオーバーヘッドが増加するが、リソースマッピングを動的にアサインした場合にシグナリングのオーバーヘッドも潜在的に増加する。相関されていない位相雑音を伴う複数のＴＸチェーンに対応できるように、ＰＴ−ＲＳ構造を調査するための評価に関する受信機の仮定について、例えばＵＬにおけるＭＵ−ＭＩＭＯに関して考察する。異なるユーザに対してＰＴ−ＲＳを異なるようにビーム形成することが考慮されることがあるため、ある程度大きいＰＴ−ＲＳのセットが、ＭＵ−ＭＩＭＯに対してＤＬで必要になり得ることが観察される。
【０１０３】
ＰＴ−ＲＳにおけるＣＰＥ推定を容易にするため、ここでは、ＰＴ−ＲＳが一般に、例えば、ＭＩＭＯおよび／または非ＭＩＭＯの事例に対して一般に対応してもよい、対応するスケジューリングまたは設定により、同じ送信機からのデータによって干渉されないことが仮定される。更に、ＰＴ−ＲＳは、例えばＵＥ特異的な、各受信機に対してビーム形成されるものと仮定される。したがって、ＤＬでは、より多くのユーザが更なるオーバーヘッドに潜在的に至るが、ここでの主な焦点はＵＬ  ＭＵ−ＭＩＭＯである。同じユーザに対する層の数を換算するとき、ＰＴ−ＲＳに対する追加のオーバーヘッドは不要である。この性質を活用することが提案され、つまり、各ＴＸは、同じユーザに対して複数のＤＭ−ＲＳポートを使用する場合、ＰＴ−ＲＳを送信するためにアサインされたポートの１つのみを使用する。同時に、他のポートに対するＰＴ−ＲＳリソースのデータはミュートされる。チャネル条件が不良であってＳＩＮＲが低い更なるユーザは、ＰＴ−ＲＳリソースの全ての層を、ＣＰＥ補償の必要がないものとして、空にすることが考慮されてもよいので、潜在的に、いずれのＰＴ−ＲＳも不要な場合がある。これは、ＭＩＭＯの場合のオーバーヘッドを少なくする方策であり、考慮すべきオーバーヘッドを少なくする１つの選択肢である。データの空間多重化、および次いでＰＴ−ＲＳのセットの低次空間多重化が使用される場合、これは、ＰＴ−ＲＳに対して同じまたはより良好な品質を与えるはずであることが観察される。更に、ＤＭ−ＲＳポートの１つを通じてＰＴ−ＲＳを送出することによって、ＤＭ−ＲＳから導き出されるチャネル推定値および空間干渉フィルタリングを、ＰＴ−ＲＳ信号に対してこれを推定する必要なしに、ＰＴ−ＲＳ受信に再使用することができる。
【０１０４】
観察１Ａ：１つのＤＭ−ＲＳポートを通じてＰＴ−ＲＳを送出することによって、受信機がＤＭ−ＲＳに対して空間処理を計算し、これをＰＴ−ＲＳ受信に再使用することが可能になる。
【０１０５】
これは、オーバーヘッドの観点から見て魅力的であるが、ＣＰＥ推定にも影響することがある。特に、ＤＭ−ＲＳの周波数および符号両方の多重化に関して、この解決策は、図１０に示されるように、ＰＴ−ＲＳに対する電力密度の影響を有し得る。
【０１０６】
観察２Ａ：複数のＴＸポートの１つを使用すると、ＰＴ−ＲＳの電力空間密度は他のリソースエレメントよりも低くなる場合がある。
【０１０７】
この低電力密度は調節することができ、例えば、隣接するデータリソースを空にして電力を再分配することができるが、かかる解決策はオーバーヘッドを消費する。しかしながら、より低い電力密度が、整合する低レベルの干渉電力がＰＴ−ＲＳに対して経験されるので、全ての送信機がＰＴ−ＲＳに対して同じサブキャリアマッピングを使用するという利益もある。
【０１０８】
観察３Ａ：干渉する送信機間におけるＰＴ−ＲＳの整合するマッピングを使用して、ＰＴ−ＲＳにおける干渉電力を低下させることができる。
【０１０９】
観察４Ａ：ＰＴ−ＲＳに対する経験があるＳＩＮＲは、空間多重化されたＰＴ−ＲＳがＴＸポートのセットの中から１つのみを使用する場合のデータシンボルに対するＳＩＮＲと同じかまたはそれよりも高くなる。
【０１１０】
続いて、ＰＴ−ＲＳに対する干渉の程度は、データリソースエレメントに対する干渉の程度よりも低くなる。したがって、受信機におけるＲＸチェーンの複数のセットを、空間的干渉抑制技術に効率的に使用し、ＣＰＥの推定品質を更に改善することができる。
【０１１１】
観察５Ａ：空間的干渉抑制技術は、ＰＴ−ＲＳに関して重要であり有効となる。
【０１１２】
この考察により、ＵＬ  ＭＵ−ＭＩＭＯにおけるＰＴ−ＲＳの評価について、ランク１の８つのＵＥを有するか、または高品質のＣＰＥ推定がはるかに簡単である、ランク４の２つのＵＥをそれぞれ有する、２つの異なる８×８  ＭＩＭＯの事例に関連して著しい違いがあることが分かる。したがって、ＰＴ−ＲＳを容量設計する場合、ＰＴ−ＲＳリソースの過度な容量設計を避けるために、固定数の受信機チェーンに対して多重化されたＵＥの数が制限されてもよい。
【０１１３】
１つまたはいくつかの優勢な干渉物がある場合、干渉物に関してＰＴ−ＲＳに対するＤＭ−ＲＳのマッピングが分かっていることで、空間的干渉抑制がより効率的になるが、干渉するＰＴ−ＲＳシンボルが分かっている場合ＰＴ−ＲＳに対する干渉除去ももたらされる可能性がある。
【０１１４】
観察６Ａ：干渉抑制／除去技術は、受信機が干渉するＰＴ−ＲＳおよびＤＭ−ＲＳに関して分かっており、また干渉がＰＴ−ＲＳによるものである場合、より一層効率的であり得る。
【０１１５】
ＭＵ−ＭＩＭＯのアップリンク受信の場合、潜在的に顕著な数のＵＥを空間多重化することができる。かかるＵＥはそれぞれ、独立した位相雑音を有することになり、したがって別個のＰＴ−ＲＳを要する。したがって、考慮点は、ＵＬにおけるＰＴ−ＲＳのオーバーヘッドが顕著であり得ることである。しかしながら、過去の観察から、また少なくとも同じノードで受信した全てのユーザに関して、ＵＬの受信機がＤＭ−ＲＳおよびＰＴ−ＲＳのマッピングについて分かっているので、空間処理はＰＴ−ＲＳに必要なオーバーヘッドよりもはるかに少ないことがあり得る。したがって、アップリンクにおけるＰＴ−ＲＳの容量設計は、特に、受信機がユーザの空間的分離を効率的に実施できる場合に、干渉抑制／除去に使用される受信機チェーンの数に関連した評価において仮定されるＭＵ−ＭＩＭＯユーザの数に大きく依存する。
【０１１６】
観察７Ａ：ＵＬにおけるＰＴ−ＲＳの容量設計は、干渉抑制／除去に使用される受信機ＲＸチェーンの数に関係して多重化されたユーザの数に大きく依存する。
【０１１７】
このことは、ＭＵ−ＭＩＭＯにおけるＰＴ−ＲＳの容量設計に合意するために、干渉抑制／除去技術に関する評価の仮定、およびＰＴ−ＲＳの数に関する受信機チェーンの数について合意がなされなければならないという事実につながる。これらの観察から、ＭＩＭＯシナリオにおけるＰＴ−ＲＳ評価に対する以下の提案が、独立してまたは任意の組み合わせで考慮されてもよい。
【０１１８】
提案１Ａ：ＰＴ−ＲＳに干渉する同じリソースマッピングを仮定したＰＴ−ＲＳの空間多重化および処理を考慮することによって、ＰＴ−ＲＳオーバーヘッドの低減について考慮する。
【０１１９】
提案２Ａ：オーバーヘッドを追加することなくＰＴ−ＲＳに対して良好な電力密度を維持する、必要性および選択肢について考慮する。
【０１２０】
提案３Ａ：基本線として、空間的干渉抑制が、ＵＬおよびＤＬ両方のＰＴ−ＲＳに使用されるものと仮定する。
【０１２１】
提案４Ａ：基本線として、ＣＰＥ補償が可能なＵＥが、直交偏向に対して少なくとも２つの受信機チェーンを有するものと仮定する。
【０１２２】
提案５Ａ：基本線として、ＢＳが、ＳＵ−ＭＩＭＯにおける直交偏向に対して少なくとも２つの受信機チェーンを有するものと仮定する。
【０１２３】
提案６Ａ：基本線として、ＢＳが、ＵＬ  ＭＵ−ＭＩＭＯにおけるユーザ多重化の数の少なくとも４倍の数の受信機チェーンを有するものと仮定する。
【０１２４】
可能なＰＴ−ＲＳオーバーヘッド低減の選択肢について考察する。特に、ＭＩＭＯ送信におけるＰＴ−ＲＳに対して、複数のＤＭ−ＲＳポートの中から１つを使用することが考慮される。更に、必要なオーバーヘッドに対する共通の理解を得る、ＰＴ−ＲＳの空間処理が考慮される。
【０１２５】
図１１は、この例ではユーザ機器として実現されてもよい、無線ノードまたは端末１０を概略的に示している。端末１０は、メモリに接続されたコントローラを含んでもよい、制御回路構成２０を含む。端末の任意のモジュール、例えば受信モジュールおよび／または送信モジュールおよび／または復号モジュールは、端末、特に制御回路構成２０の形で、特にコントローラのモジュールとして実現され、ならびに／あるいはそれらによって実行可能であってもよい。端末１０はまた、受信および送信または送受信の機能性を提供する無線回路構成２２を含み、無線回路構成２２（例えば、制御回路構成によって、動作可能に制御される）は、制御回路構成に接続されるかまたは接続可能である。端末１０のアンテナ回路構成２４は、信号を受信もしくは回収もしくは送出および／もしくは増幅するため、無線回路構成２２に接続されるかまたは接続可能である。無線回路構成２２およびそれを制御する制御回路構成２０は、本明細書に開示するように、参照シグナリングを受信および／または送信するように適合されてもよい。端末１０は、本明細書に開示する端末を操作する方法のいずれかを実施するように適合されてもよく、特に、対応する回路構成、例えば制御回路構成を含んでもよい。
【０１２６】
図１２は、ネットワークノードとして実現されてもよい、例示の無線ノード１００を示している。無線ノード１００は、メモリに接続されたコントローラを含んでもよい、制御回路構成１２０を含む。任意のモジュール、例えば、無線ノードの受信モジュールおよび／または送信モジュールおよび／または設定モジュール（例えば、端末を設定する）は、制御回路構成１２０において実現され、および／または制御回路構成１２０によって実行可能であってもよい。制御回路構成１２０は、受信機および送信機ならびに／あるいは送受信機の機能性を提供する、ネットワークノード１００の無線回路構成１２２を制御するように接続される。アンテナ回路構成１２４は、信号受信または送信ならびに／あるいは増幅のため、無線回路構成１２２に接続されるかまたは接続可能であってもよい。無線ノード１００は、本明細書に開示する無線ノードまたはネットワークノードを操作する方法のいずれかを実施するように適合されてもよく、特に、対応する回路構成、例えば制御回路構成を含んでもよい。アンテナ回路構成は、アンテナアレイに接続されてもよく、ならびに／あるいはアンテナアレイを備えてもよい。
【０１２７】
本明細書の文脈において、受信機と呼ばれることもある受信ノードは、参照シグナリング、例えばＰＴ−ＲＳを受信する、端末またはノードまたはデバイスであってもよい。送信機と呼ばれることもある送信ノードは、参照シグナリング、例えばＰＴ−ＲＳを送信する、端末またはノードまたはデバイスであってもよい。送信機および受信機は、記載した無線回路構成に対して、例えばＴＸまたはＲＸチェーンの文脈ではＴＸまたはＲＸとして使用される場合もあることに留意されたい。これらの用語の意味は、文脈から当業者には明白であろう。
【０１２８】
送信回路構成は、１つもしくは複数の送信機として実現されてもよく、ならびに／またはそれらを含んでもよい。受信回路構成は、１つまたは複数の受信機として実現されてもよく、ならびに／またはそれらを含んでもよい。無線回路構成は、送信回路構成および／または受信回路構成を含んでもよく、ならびに／あるいはそれらとして実現されてもよい。
【０１２９】
本明細書に記載するネットワークノードを操作する方法のいずれか１つを実施するように適合された、無線ノードまたはネットワークノードが考慮されてもよい。
【０１３０】
本明細書に記載する無線ノードまたは端末を操作する方法のいずれか１つを実施するように適合された、端末またはユーザ機器が考慮されてもよい。
【０１３１】
制御回路構成によって実行可能なコードであって、特に、ユーザ機器もしくはネットワークノードの制御回路構成であってもよい、制御回路構成に対して方法が実行される場合に、本明細書に記載するような無線ノードを操作する方法のいずれか１つを制御回路構成に実施および／または制御させるコードを含む、プログラム製品も開示される。
【０１３２】
更に、本明細書に開示するプログラム製品、ならびに／あるいは制御回路構成によって実行可能なコードであって、本明細書に開示する方法の少なくともいずれか１つを制御回路構成に実施および／または制御させるコードの少なくともいずれか１つを保持および／または格納する、キャリア（もしくは記憶）媒体装置が開示される。キャリア媒体装置は、１つまたは複数のキャリア媒体を含んでもよい。一般に、キャリア媒体は、制御回路構成によってアクセス可能および／または読取り可能および／または受信可能であってもよい。データおよび／またはプログラム製品および／またはコードの格納は、データおよび／またはプログラム製品および／またはコードの保持の一部と見なされてもよい。キャリア媒体は、一般に、ガイド／搬送媒体および／または記憶媒体を含んでもよい。ガイド／搬送媒体は、信号を、特に電磁信号および／または電気信号および／または磁気信号および／または光信号を、保持および／または保持および／または格納するように適合されてもよい。キャリア媒体、特にガイド／搬送媒体は、かかる信号をガイドして保持するように適合されてもよい。キャリア媒体、特にガイド／搬送媒体は、電磁界、例えば無線波もしくはマイクロ波、および／または光透過性材料、例えばガラス繊維、および／またはケーブルを含んでもよい。記憶媒体は、揮発性もしくは不揮発性であってもよいメモリ、バッファ、キャッシュ、光学ディスク、磁気メモリ、フラッシュメモリなどのうち少なくとも１つを含んでもよい。
【０１３３】
リソースは、一般に、例えば使用される多重化方式に応じて決まる、通信、ならびに／あるいは関連する電力および／またはコードに関する、時間／周波数リソースを含んでもよい。リソース、無線リソース、ならびに／あるいは、時間および／または周波数リソース（例えば、サブフレーム、スロット、シンボル、もしくはリソースブロック）に対する参照は、３ＧＰＰ規格、特にＬＴＥおよび／またはＮＲに従って構造化されたかかるリソースを指してもよい。復号は、エラー検出コーディングおよび／またはフォワードエラーコーディングの復号を含んでもよいことが考慮されてもよい。抽出された情報は、一般に、特にスケジューリングアサインメントにおける、制御情報であってもよく、ならびに／あるいは制御情報を含んでもよい。抽出された情報は、制御チャネルで受信され、ならびに／あるいは制御チャネルシグナリングに基づくことが考慮されてもよい。制御チャネルシグナリングは、特に、物理制御チャネルに対するシグナリングであってもよい。
【０１３４】
端末はユーザ機器として実現されてもよい。端末またはユーザ機器（ＵＥ）は、一般に、無線デバイス間通信向けに設定されたデバイス、ならびに／あるいは無線および／またはセルラーネットワーク向けの端末、特に移動端末、例えば移動電話、スマートフォン、タブレット、ＰＤＡなどであってもよい。ユーザ機器または端末は、例えば、別の端末もしくはノードに対する機能性の何らかの制御および／または中継に関与する場合、本明細書に記載するような無線通信ネットワークのノードまたはかかるネットワーク向けのノードであってもよい。端末またはユーザ機器は、１つまたは複数のＲＡＴ、特にＬＴＥ／Ｅ−ＵＴＲＡ向けに適合されることが想起されてもよい。端末またはユーザ機器は、一般に、使用可能にされた近接サービス（ＰｒｏＳｅ）であってもよく、可能であるかまたは使用可能にされたＤ２Ｄであることを意味してもよい。端末またはユーザ機器は、無線通信のための無線回路構成および／制御回路構成を含んでもよいことが考慮されてもよい。無線回路構成は、例えば、受信機デバイスおよび／または送信機デバイスおよび／または送受信機デバイス、ならびに／あるいは１つもしくは複数の受信機および／または送信機および／または送受信機を含んでもよい。制御回路構成は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含んでもよい、１つまたは複数のコントローラを含んでもよい。制御回路構成は、メモリを含むか、またはメモリに接続されるかもしくは接続可能であってもよく、メモリは、コントローラおよび／または制御回路構成による読取りおよび／または書込みのために、アクセス可能であるように適合されてもよいことが考慮されてもよい。端末またはユーザ機器は、ＬＴＥ／Ｅ−ＵＴＲＡＮ向けに適合された端末またはユーザ機器であるように設定されることが考慮されてもよい。アップリンクの参照シグナリングは、端末、例えばＳＲＳに関連付けられてもよい。端末は、特に、Ｖ２ｘ通信向けに適合されてもよい。端末は、１つまたは複数の（セルラー）無線アクセス技術（ＲＡＴ）、例えばＬＴＥおよび／またはＵＭＴＳおよび／または５Ｇ  ＲＡＴ、例えばＬＴＥエボリューションおよび／またはＮＲ）向けに適合されてもよい。一般に、端末は、Ｄ２Ｄおよび／または１つもしくは複数のセルラーＲＡＴを介する無線通信向けに適合された、任意のデバイスであってもよい。無線通信ネットワークは、Ｄ２Ｄ通信を介して通信する２つ以上の端末、および／または１つもしくは複数のＲＡＴを実現する、ＲＡＮ（無線アクセスネットワーク）の無線アクセスノードと通信する端末を含んでもよい。かかる無線アクセスノードは、例えば、ｅＮｏｄｅＢであってもよい。一般に、端末は、通信のエンドポイントまたは終端ポイントとして役立つことができるデバイスを表すことが考慮されてもよい。端末は、本明細書に記載するような無線通信向けに適合された、ユーザ機器または電話またはスマートフォンまたはコンピューティングデバイスまたはセンサデバイスまたは機械または移動体デバイスであってもよい。
【０１３５】
無線ノードまたはネットワークノードまたは基地局は、１つもしくは複数の端末またはユーザ機器にサーブするように適合された、無線および／またはセルラーネットワークの任意の種類の無線ノードもしくは基地局であってもよい。基地局は、無線通信ネットワークのノードまたはネットワークノードであることが考慮されてもよい。無線ノードまたはネットワークノードまたは基地局は、ネットワークの１つもしくは複数のセルを提供および／または規定および／またはサーブするように、ならびに／あるいはネットワークの１つもしくは複数のノードまたは端末に対する通信に、周波数および／または時間リソースを割り当てるように適合されてもよい。一般に、かかる機能性を提供するように適合された任意のノードが基地局と見なされてもよい。基地局、またはより一般にはネットワークノード、特に無線ネットワークノードは、無線通信のための無線回路構成および／または制御回路構成を備えることが考慮されてもよい。基地局または無線ノードは、１つまたは複数のＲＡＴ、特にＬＴＥ／Ｅ−ＵＴＲＡ向けに適合されることが想起されてもよい。無線回路構成は、例えば、受信機デバイスおよび／または送信機デバイスおよび／または送受信機デバイスを含んでもよい。制御回路構成は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含んでもよい、１つまたは複数のコントローラを含んでもよい。制御回路構成は、メモリを含むか、またはメモリに接続されるかもしくは接続可能であってもよく、メモリは、コントローラおよび／または制御回路構成による読取りおよび／または書込みのために、アクセス可能であるように適合されてもよいことが考慮されてもよい。基地局は、無線通信ネットワークのノードであるように配置されてもよく、特に、直接関与するデバイスとして、または周辺および／もしくは調整ノードとして、セルラー通信向けに、ならびに／あるいはセルラー通信を可能にするように、ならびに／あるいはセルラー通信を容易にするように、ならびに／あるいはセルラー通信に関与するように設定されてもよい。一般に、基地局は、コアネットワークと通信するように、ならびに／あるいは１つもしくは複数のユーザ機器にサービスを提供するように、ならびに／あるいは１つもしくは複数のユーザ機器を制御するように、ならびに／あるいは１つもしくは複数のユーザ機器とコアネットワークおよび／または別の基地局との間で、通信および／またはデータを中継および／または搬送するように配置されてもよく、ならびに／あるいは可能にされた近接サービスであってもよい。
【０１３６】
無線ノード、特にネットワークノードまたは端末は、一般に、無線および／または無線信号および／またはデータ、特に通信データを、特に少なくとも１つのキャリア上で、送信および／または受信するように適合された任意のデバイスであってもよい。無線ノードは、一般に、ネットワークノードまたは端末および／またはユーザ機器であってもよい。無線ノードは、特に、ユーザ機器または基地局および／または中継ノード、および／またはネットワークの、またはネットワークのためのマイクロ（もしくはピコ／フェムト／ナノ）ノード、例えばｅＮｏｄｅＢもしくはｇＮｏｄｅＢであってもよい。データの送信は、ユーザ機器から基地局／ノード／ネットワークへの送信の場合、アップリンク（ＵＬ）であってもよい。データの送信は、基地局／ノード／ネットワークからユーザ機器または端末への送信の場合、ダウンリンク（ＤＬ）であってもよい。送信の標的は、一般に、別の無線ノード、特に本明細書に記載するような無線ノードであってもよい。
【０１３７】
ｅＮｏｄｅＢ（ｅＮＢ）またはｇＮｏｄｅＢは、例えばＬＴＥ規格による、無線ノードまたはネットワークノードまたは基地局の一例として想起されてもよい。無線ノードまたは基地局は、一般に、可能にされた、ならびに／あるいは対応するサービスを提供する、近接サービスであってもよい。無線ノード基地局は、進化したパケットコア（ＥＰＣ）に接続されるか接続可能であるように、ならびに／あるいは対応する機能性を提供および／または機能性に接続するように、設定されることが考慮されてもよい。無線ノードもしくは基地局の機能性および／または複数の異なる機能は、１つもしくは複数の異なるデバイスおよび／または物理的位置および／またはノードにわたって分配されてもよい。無線ノードまたは基地局は、無線通信ネットワークのノードであることが考慮されてもよい。一般に、無線ノードまたは基地局は、特に無線通信ネットワークの２つのノードもしくは端末間の、特に２つのユーザ機器間のセルラー通信の場合、調整ノードであるように、ならびに／あるいはリソースを割り当てるように設定されるように考慮されてもよい。
【０１３８】
セルもしくはキャリアに対する受信または送信は、セルもしくはキャリアに関連付けられた周波数（帯）またはスペクトルを利用して受信または送信することを指してもよい。セルは、一般に、１つもしくは複数のキャリアを、特にＵＬ通信／送信のための少なくとも１つのキャリア（ＵＬキャリアと呼ばれる）とＤＬ通信／送信のための少なくとも１つのキャリア（ＤＬキャリアと呼ばれる）とを含んでもよく、ならびに／あるいはキャリアによってまたはそれらに対して規定されてもよい。セルは、異なる数のＵＬキャリアおよびＤＬキャリアを含むことが考慮されてもよい。代わりに、または加えて、セルは、例えば、ＴＤＤに基づく方策において、ＵＬ通信／送信およびＤＬ通信／送信のための少なくとも１つのキャリアを含んでもよい。
【０１３９】
チャネルは、一般に、論理または物理チャネルであってもよい。チャネルは、１つもしくは複数のキャリア、特に複数のサブキャリアを含んでもよく、ならびに／あるいはキャリア上に配置されてもよい。
【０１４０】
無線通信ネットワークは、少なくとも１つのネットワークノード、特に本明細書に記載するようなネットワークノードを含んでもよい。ネットワークに接続されるかまたはネットワークと通信する端末は、少なくとも１つのネットワークノード、特に本明細書に記載するネットワークノードのいずれか１つに接続されるか、またはネットワークノードと通信することが考慮されてもよい。
【０１４１】
セルは、一般に、ノードによって提供される、例えばセルラーもしくは移動通信ネットワークの、通信セルであってもよい。サービングセルは、ネットワークノード（セルを提供する、またはセルに関連付けられたノード、例えば、基地局もしくはｅＮｏｄｅＢ）上のセル、またはそれを介してネットワークノードが送信を行うセルであってもよく、ならびに／あるいはデータ（ブロードキャストデータ以外のデータであってもよい）を、特に制御および／またはユーザもしくはペイロードデータを、ユーザ機器に送信してもよく、ならびに／あるいは、セルを介してもしくはセル上でユーザ機器が送信を行ってもよく、ならびに／あるいはデータをノードに送信してもよく、サービングセルは、ユーザ機器がセルに対してもしくはセル上に設定されるセルであってもよく、ならびに／あるいは同期されるセル、および／またはアクセス手順を、例えばランダムアクセス手順を実施したセルであってもよく、ならびに／あるいは、例えばノードおよび／またはユーザ機器および／またはネットワークがＬＴＥ規格に従う場合、セルに関して、ＲＲＣ＿ｃｏｎｎｅｃｔｅｄもしくはＲＲＣ＿ｉｄｌｅ状態にあるセルであってもよい。１つまたは複数のキャリア（例えば、アップリンクおよび／またはダウンリンクキャリア、および／またはアップリンクとダウンリンク両方のキャリア）は、セルに関連付けられてもよい。
【０１４２】
セルラー通信の場合、例えば、ネットワークノード、特に基地局もしくはｅＮｏｄｅＢによって提供されてもよい、セルを介する、および／またはセルを規定する、少なくとも１つのアップリンク（ＵＬ）接続および／またはチャネルおよび／またはキャリアと、少なくとも１つのダウンリンク（ＤＬ）接続および／またはチャネルおよび／またはキャリアとが、提供されることが考慮されてもよい。アップリンク方向は、端末からネットワークノード、例えば基地局および／または中継局へのデータ伝達方向を指してもよい。ダウンリンク方向は、ネットワークノード、例えば基地局および／または中継ノードから端末へのデータ伝達方向を指してもよい。ＵＬおよびＤＬは、異なる周波数リソース、例えばキャリアおよび／またはスペクトル帯に関連付けられてもよい。セルは、異なる周波数帯を有してもよい、少なくとも１つのアップリンクキャリアおよび少なくとも１つのダウンリンクキャリアを含んでもよい。ネットワークノード、例えば基地局もしくはｅＮｏｄｅＢは、１つまたは複数のセル、例えばＰＣｅｌｌおよび／またはＬＡセルを、提供および／または規定および／または制御するように適合されてもよい。
【０１４３】
端末もしくは無線デバイスもしくはノードを設定することには、無線デバイスもしくはノードにその設定を、例えば、少なくとも１つの設定および／または登録入力および／または動作モードを変更するように、指示することおよび／または促すことが関与してもよい。端末もしくは無線デバイスもしくはノードは、例えば、端末もしくは無線デバイスのメモリ内の情報またはデータに従って、自身を設定するように適合されてもよい。ノードもしくは端末もしくは無線デバイスを、別のデバイスもしくはノードもしくはネットワークによって設定することは、情報および／またはデータおよび／または命令を、例えば、割当てデータ（設定データでもある、および／またはそれも含んでもよい）および／またはスケジューリングデータおよび／またはスケジューリンググラントを、他のデバイスもしくはノードもしくはネットワークによって、無線デバイスもしくはノードに送信することを指してもよく、ならびに／あるいはそのことを含んでもよい。端末を設定することは、どの変調および／または符号化を使用するかを示す、割当て／設定データを、端末に対して送出することを含んでもよい。端末は、例えば送信の場合、スケジューリングおよび／または割当てされたアップリンクリソース、ならびに受信の場合、スケジューリングおよび／または割当てされたダウンリンクリソースを用いて、ならびに／あるいはデータをスケジューリングするため、ならびに／またはリソースを使用するように設定されてもよい。アップリンクリソースおよび／またはダウンリンクリソースは、割当てまたは設定データを用いて、スケジューリングおよび／または提供されてもよい。
【０１４４】
一般に、制御回路構成は、処理および／または制御のための集積回路構成、例えば、１つもしくは複数のプロセッサおよび／またはプロセッサコアおよび／またはＦＰＧＡ（フィールドプログラマブルゲートアレイ）および／またはＡＳＩＣ（特定用途向け集積回路構成）を含んでもよい。制御回路構成は、任意の種類の揮発性および／または不揮発性メモリ、例えば、キャッシュおよび／またはバッファメモリおよび／またはＲＡＭ（ランダムアクセスメモリ）および／またはＲＯＭ（読出し専用メモリ）および／または光学メモリおよび／またはＥＰＲＯＭ（消去可能プログラマブル読出し専用メモリ）を含んでもよい、メモリを含んでもよく、ならびに／あるいはメモリに接続されてもよく、ならびに／あるいはメモリにアクセス（例えば、書込みおよび／または読取り）するように適合されてもよい。かかるメモリは、制御回路構成によって実行可能なコード、ならびに／あるいは他のデータ、例えば通信に関連するデータ、例えば、ノードの設定および／またはアドレスデータなどを、格納するように適合されてもよい。制御回路構成は、本明細書に記載する方法のいずれかを制御するように、ならびに／あるいは例えば無線ノードによって、かかる方法を実施させるように適合されてもよい。対応する命令は、読取り可能であってもよく、ならびに／あるいは制御回路構成に読取り可能に接続されてもよい、メモリに格納されてもよい。制御回路構成は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含んでもよい、コントローラを含んでもよい。制御回路構成は、メモリを含むか、またはメモリに接続されるかもしくは接続可能であってもよく、メモリは、コントローラおよび／または制御回路構成による読取りおよび／または書込みのために、アクセス可能であるように適合されてもよいことが考慮されてもよい。
【０１４５】
無線回路構成は、受信回路構成（例えば、１つもしくは複数の受信機）および／または送信回路構成（例えば、１つもしくは複数の送信機）を含んでもよい。代わりに、または加えて、無線回路構成は、送信および受信のための送受信回路構成（例えば、１つもしくは複数の送受信機）を含んでもよい。無線回路構成は、一般に、例えば、受信機デバイスおよび／または送信機デバイスおよび／または送受信機デバイスを含んでもよい。
【０１４６】
アンテナ回路構成は、アンテナアレイの形で配置されてもよい、１つもしくは複数のアンテナまたはアンテナ素子を含んでもよい。アンテナ回路構成は、１つもしくは複数の追加要素を含み、ならびに／あるいは１つもしくは複数の追加要素、例えば配線に接続されるかまたは接続可能であることが考慮されてもよい。
【０１４７】
無線ノード、特にユーザ機器を設定することは、無線ノードが設定に従って動作するように適合されるか、または動作させられるか、または動作するように設定されることを指してもよい。設定することは、別のデバイス、例えばネットワークノード（例えば、基地局もしくはｅＮｏｄｅＢのような、ネットワークの無線ノード）またはネットワークによって行われてもよく、ネットワークの場合、設定データを設定される無線ノードに送信することを含んでもよい。かかる設定データは、例えば、フリーズ間隔および／または送信開始間隔に関する、設定に関連して設定された、ならびに／あるいはそれらに関連する１つもしくは複数の命令を含む、設定を表してもよい。無線ノードは、例えば、ネットワークまたはネットワークノードから受信した設定データに基づいて、自身を設定してもよい。
【０１４８】
一般に、設定することは、設定を表す設定データを決定すること、ならびにそのデータを１つもしくは複数の他のノードに（並行して、および／または連続して）提供することを含んでもよく、他のノードは、そのデータを無線ノードに（または、無線デバイスに達するまで繰り返し別のノードに）更に送信してもよい。代わりに、または加えて、例えばネットワークノードもしくは他のデバイによって、無線ノードを設定することは、設定データ、および／または設定データに関連するデータを、例えば、ネットワークのより高次のノードであってもよい、ネットワークノードのような別のノードから受信すること、ならびに／あるいは受信した設定データを無線ノードに送信することを含んでもよい。したがって、設定を決定すること、および設定データを無線ノードに送信することは、適切なインターフェース、例えばＬＴＥの場合はＸ２インターフェースを介して通信することができてもよい、異なるネットワークノードまたはエンティティによって実施されてもよい。
【０１４９】
キャリアは、連続または不連続の無線周波数帯域幅および／または周波数分布を含んでもよく、ならびに／あるいは情報および／または信号、特に通信データを保持してもよく、ならびに／あるいは情報および／または信号を利用するかもしくは利用可能であってもよい。キャリアは、例えばＬＴＥのような規格によって規定され、ならびに／あるいは規格を参照し、ならびに／あるいは規格に従って索引付けされることが考慮されてもよい。キャリアは１つまたは複数のサブキャリアを含んでもよい。サブキャリアのセット（少なくとも１つのサブキャリアを含む）は、例えば、共通のＬＢＴ手順（例えば、セットの合計エネルギー／電力を測定する）がセットに対して実施される場合、キャリアと呼ばれることがある。チャネルは少なくとも１つのキャリアを含んでもよい。チャネルは、特に、物理チャネルであってもよく、ならびに／あるいは周波数範囲を含んでもよく、ならびに／あるいは周波数範囲を参照してもよい。キャリアまたはチャネルにアクセスすることは、キャリア上での送信を含んでもよい。キャリアまたはチャネルにアクセスすることが可能にされた場合、このキャリア上での送信が可能にされたことを示してもよい。
【０１５０】
シグナリングは、１つもしくは複数の信号および／またはシンボルを含んでもよい。参照シグナリングは、１つもしくは複数の参照信号および／またはシンボルを含んでもよい。データシグナリングは、データを含む信号および／またはシンボル、特に、ユーザデータおよび／またはペイロードデータ、および／または無線および／もしくは物理層の上方にある通信層からのデータに関連してもよい。復調参照シグナリングは、１つもしくは複数の復調信号および／またはシンボルを含むことが考慮されてもよい。復調参照シグナリングは、特に、３ＧＰＰおよび／またはＬＴＥ技術によるＤＭ−ＲＳを含んでもよい。復調参照シグナリングは、一般に、関連付けられたデータシグナリングもしくはデータを復号および／または復調する端末のような受信デバイスに対して、参照を提供するシグナリングを表すことが考慮されてもよい。復調参照シグナリングは、データまたはデータシグナリング、特に特定のデータまたはデータシグナリングに関連付けられてもよい。データシグナリングおよび復調参照シグナリングは、インターレースおよび／または多重化されることが、例えば、サブフレームもしくはスロットもしくはシンボルを例えば網羅する、同じ時間間隔内に、ならびに／あるいはリソースブロックのような同じ時間−周波数リソース構造内に配置されることが、考慮されてもよい。リソースエレメントは、例えば、１つのシンボル、共通の変調で表されるもしくは多数のビットによって網羅される時間および周波数範囲を表す、最小の時間−周波数リソースを表してもよい。リソースエレメントは、例えば、特に３ＧＰＰおよび／またはＬＴＥ規格において、シンボル時間長およびサブキャリアを網羅してもよい。データ送信は、特定のデータ、例えば、特定のデータブロックおよび／または搬送ブロックの送信を表し、ならびに／あるいは送信に関連してもよい。一般に、復調参照シグナリングは、復調参照シグナリングを特定および／または規定してもよい、信号および／またはシンボルのシーケンスを含んでもよく、ならびに／あるいは表してもよい。
【０１５１】
チャネルは、一般に、論理または物理チャネルであってもよい。チャネルは、１つもしくは複数のキャリア、特に複数のサブキャリアを含んでもよく、ならびに／あるいはキャリア上に配置されてもよい。制御チャネルはかかるチャネルであってもよい。通信には、一般に、特にパケットデータの形態の、メッセージの送信および／または受信が関与してもよい。メッセージまたはパケットは、制御および／または設定データおよび／またはペイロードデータを含んでもよく、ならびに／あるいは物理層送信のバッチを表し、および／または含んでもよい。制御および／または設定情報もしくはデータは、通信のプロセスならびに／あるいは通信のノードおよび／または端末に関連するデータを指してもよい。例えば、通信のノードもしくは端末を指すアドレスデータ、ならびに／あるいは例えばヘッダ内の、通信もしくは送信のプロセスに関連するデータとしての、通信モードおよび／または空間的設定および／または周波数および／またはコーディングおよび／またはタイミングおよび／または帯域幅に関連するデータを含んでもよい。一般に、メッセージは、１つもしくは複数の信号および／またはシンボルを含んでもよい。
【０１５２】
データは、任意の種類のデータを、特に制御データまたはユーザデータまたはペイロードデータのいずれか１つ、および／または任意の組み合わせを指してもよい。制御情報（制御データと呼ばれることもある）は、データ送信のプロセスならびに／あるいはネットワークまたは端末動作の制御および／またはスケジューリングおよび／または関連するデータを指してもよい。
【０１５３】
端末特異的（もしくはＵＥ特異的）な送信は、例えば、対応する識別、例えばＲＮＴＩを用いて符号化および／または拡散することによって、特定の端末もしくはＵＥ（またはグループ）に対して対処および／または意図および／または符号化されてもよい。
【０１５４】
本開示では、限定ではなく説明の目的で、本明細書に提示する技術の十分な理解を提供するために、特定の詳細（特定のネットワーク機能、プロセス、およびシグナリングステップなど）を説明している。本開示の概念および態様は、他の変形例、およびこれらの特定の詳細から逸脱する変形例において実践されてもよいことが、当業者には明白となるであろう。
【０１５５】
例えば、概念および変形例は、ロングタームエボリューション（ＬＴＥ）またはＬＴＥアドバンスト（ＬＴＥ−Ａ）または次世代無線移動もしくは無線通信技術の文脈で、部分的に説明されているが、これは、汎欧州デジタル移動電話方式（ＧＳＭ）などの追加または代替の移動通信技術と関連する、本開示の概念および態様を使用することを除外するものではない。以下の変形例は、第３世代パートナーシッププロジェクト（３ＧＰＰ）の特定の技術仕様（ＴＳ）に関連して部分的に説明しているが、本開示の概念および態様は、異なる性能管理（ＰＭ）仕様と関連して実現することもできることが認識されるであろう。
【０１５６】
更に、当業者であれば、本明細書で説明するサービス、機能、およびステップは、プログラミングされたマイクロプロセッサと併せて、または特定用途向け集積回路（ＡＳＩＣ）、デジタル信号プロセッサ（ＤＳＰ）、フィールドプログラマブルゲートアレイ（ＦＰＧＡ），または汎用コンピュータを使用して機能するソフトウェアを使用して、実現されてもよいことを認識するであろう。また、本明細書に記載する変形例は、方法およびデバイスの文脈で説明されているが、本明細書に提示する概念および態様は、プログラム製品の形で、ならびに制御回路構成、例えばコンピュータプロセッサおよびプロセッサに連結されたメモリを備え、メモリが、本明細書に開示するサービス、機能、およびステップを実行する１つもしくは複数のプログラムまたはプログラム製品を用いて符号化されるシステムの形でも、具体化されてもよいことが認識されるであろう。
【０１５７】
本明細書に提示する態様および変形例の利点は、上述の説明から十分に理解されるものと考えられ、本明細書に記載する概念および態様の範囲から逸脱することなく、またはその有利な効果の全てを犠牲にすることなく、例示的な態様の形態、設定、および配置において、様々な変更がなされてもよいことが明白となるであろう。本明細書に提示する態様は多くの形で変更することができる。
【０１５８】
いくつかの有用な略語は次の通りである。
３ＧＰＰ  第３世代パートナーシッププロジェクト
ｅＮＢ  拡張型ノードＢ
ＣＲＳ  セル特異的参照信号
ＤＭ−ＲＳ  復調参照信号
ＤＣＩ  ダウンリンク制御情報
ＬＴＥ  ロングタームエボリューション
ＭＩＭＯ  複数入力複数出力
ＭＵ  マルチユーザ
ＰＴ−ＲＳ  位相トラッキングＲＳ
ＲＳ  参照信号
ＴＭ  送信モード
ＴＴＩ  送信時間間隔
ＵＥ  ユーザ機器
ＤＬ  ダウンリンク、ネットワークノードから端末への送信に関連
ＵＬ  アップリンク、端末からネットワークノードへの送信に関連
ＮＲ  新無線
ＲＮＴＩ  無線ネットワーク仮識別子
【０１５９】
本開示の文脈における送信は、ＲＡＮでの無線送信に関連してもよい。
【図１】
2019537892.tif 000003
【図２】
2019537892.tif 000004
【図３】
2019537892.tif 000005
【図４】
2019537892.tif 000006
【図５】
2019537892.tif 000007
【図６】
2019537892.tif 000008
【図７】
2019537892.tif 000009
【図８】
2019537892.tif 000010
【図９】
2019537892.tif 000011
【図１０】
2019537892.tif 000012
【図１１】
2019537892.tif 000013
【図１２】
2019537892.tif 000014
【国際調査報告】
2019537892.tif 000015
2019537892.tif 000016